【手続補正書】
【提出日】平成26年4月17日(2014.4.17)
【手続補正１】
【補正対象書類名】特許請求の範囲
【補正対象項目名】全文
【補正方法】変更
【補正の内容】
【特許請求の範囲】
【請求項１】
コンピューター上で実施された時に、多数のデーター・ソースからの製品情報をオンライン・カタログに自動的に合成するコンピューター実装方法であって、
前記オンライン・カタログにおいて表されている既存製品に対応する過去の情報を、複数の過去データー・ソースから得るステップであって、前記過去の情報が複数の過去属性−値対を備えており、各過去属性−値対が、過去属性名および対応する過去属性値を有する、ステップと、
第１過去データー・ソースの第１過去製品スキーマに含まれている第１過去属性名と、前記オンライン・カタログのカタログ・スキーマに含まれている前記既存製品の第１カタログ属性名との間におけるソース−対−カタログ属性対応を判定するステップであって、前記カタログ・スキーマが複数のカタログ属性−値対を備えており、各カタログ属性−値対が、異なるカタログ属性名および対応するカタログ属性値を有し、前記第１過去属性名と前記第１カタログ属性名は同じ名前ではない、ステップと、
前記第１カタログ属性名と前記第１過去データー・ソースの前記第１過去属性名に対応する第１過去属性値の少なくとも一部との間における関連を判定するステップと、
前記第１カタログ属性名と前記第１過去データー・ソースの前記第１過去属性名に対応する前記第１過去属性値の前記少なくとも一部との間における既存の関連を、前記カタログ・スキーマに格納するステップと、
を備えており、
前記着信情報および過去の情報を前記複数の着信および過去データー・ソースから得るステップが、複数の異なるスキーマの未構造化データーおよび構造化データーを前記複数の着信および過去データー・ソースから得るステップを含む、方法。
【請求項２】
請求項１記載の方法であって、更に、
前記既存製品または新製品の内少なくとも１つに対応する着信情報を、複数の着信データー・ソースから得るステップであって、前記複数の着信データー・ソースが、前記複数の過去データー・ソースの少なくとも一部または少なくとも１つの新データー・ソースの内少なくとも１つを備えており、前記着信情報が複数の着信属性−値対を備えており、各着信属性−値対が、着信属性名および対応する着信属性値を有する、ステップと、
ソース−対−ソース属性対応を判定するステップであって、第１着信データー・ソースの第１着信製品スキーマに含まれている第１着信属性名と第２着信データー・ソースの第２着信製品スキーマに含まれている第２着信属性名との間における対応を判定することを含む、ステップと、
前記ソース−対−ソース属性対応に基づいて、各クラスターが異なる製品に対応するように、着信属性−値対をクラスター化するステップと、
前記着信情報から属性−値対を抽出するステップであって、
前記オンライン・カタログの特定の既存製品または特定の新製品に対応する特定のクラスターに対応する特定の着信属性値を得て、
前記属性−値対抽出の学習に基づいて、前記特定の着信属性値と、特定の既存カタログ属性名または特定の新カタログ属性名の内１つとの間における新たな関連を判定し、
前記新たな関連を前記カタログ・スキーマに追加することを含む、ステップと、
前記着信情報を融合するステップであって、前記新たな関連および前記カタログ・スキーマに含まれている少なくとも１つの他の関連から、前記特定の既存カタログ属性名または前記特定の新カタログ属性名の内前記１つに対応する代表的カタログ属性値を決定することを含む、ステップと、
前記代表的カタログ属性値を用いて、前記特定の既存製品または前記特定の新製品に対応する前記オンライン・カタログにおいてエントリーを更新するステップと、
を備えている、方法。
【請求項３】
請求項２記載の方法において、前記着信情報を前記複数の着信データー・ソースから得るステップが、レビューについての感想、レビューの格付け、レビュー有益指標(review helpfulness indicator)、頻繁に訊かれる質問（ＦＡＱ）、製品に対応する形容詞、質問および回答、関連製品、ビデオ、または価格予測信号の内少なくとも１つから、ウェブサイトからのフィード採集またはエンティティ抽出の内少なくとも１つによって、前記着信情報を得るステップを含む、方法。
【請求項４】
請求項３記載の方法において、前記着信情報を得るステップが、更に、売り出し(offers for sale)、クリック・データー、画像、製品ランク、仕様情報、推薦、製品階層、製品スコアカード、オピニオン・インデックス、または製品マニュアルの内少なくとも１つから前記着信情報を得るステップを含む、方法。
【請求項５】
請求項２記載の方法であって、更に、前記複数の着信属性名を区分するステップを備えている、方法。
【請求項６】
請求項２記載の方法であって、更に、前記カタログ・スキーマおよび前記オンライン・カタログに対応するカタログ分類法に基づいて、前記着信属性名および前記着信属性値を正規化するステップを備えている、方法。
【請求項７】
請求項２記載の方法であって、更に、前記着信情報を、カタログ分類法の１つ以上のカテゴリーに類別するステップを備えており、前記カタログ・スキーマが、前記１つ以上のカテゴリーの各々に対して異なるカタログ・スキーマを備えている、方法。
【請求項８】
請求項７記載の方法において、前記着信属性−値対をクラスター化するステップが、前記カタログ分類法の前記１つ以上のカテゴリーに更に基づいて、前記着信属性−値対をクラスター化するステップを含む、方法。
【請求項９】
請求項２記載の方法であって、更に、前記着信情報を浄化するステップを備えており、符号化の誤り、大文字使用、および綴りを訂正することを含む、方法。
【請求項１０】
請求項２記載の方法であって、更に、前記複数の着信データー・ソースから、更新された着信情報を少なくとも毎日２回得るステップと、前記複数のデーター・ソースの全てから、更新された着信情報を少なくとも毎月得るステップとを備えている、方法。
【請求項１１】
製品情報をオンライン・カタログに自動的に合成するシステムであって、プロセッサーと、メモリーと、前記メモリー上に格納され前記プロセッサーによって実行可能なコンピューター実行可能命令とを有する１つ以上の計算機を備えており、
前記オンライン・カタログが、
複数の製品カテゴリーを備えているカタログ分類法と、
製品カテゴリー毎にカテゴリー・スキーマを備えているカタログ・スキーマであって、各カテゴリー・スキーマが、１組のカタログ属性−値対を備えており、各カタログ属性値−対が、カタログ属性名および対応するカタログ属性値を有する、カタログ・スキーマと、
既存の製品に対応する複数のエントリーであって、前記複数のエントリーの各々が、前記カタログ分類法に基づき、前記カタログ・スキーマに含まれている複数の対応するカタログ属性−値対を備えている、複数のエントリーとを備えており、
前記システムが、
ネットワークに通信可能に接続されており、前記ネットワークにおける複数の着信電子データー・ソースから、１つ以上の既存の製品に対応する着信製品情報と、１つ以上の新製品に対応する着信製品情報とを得るように構成されているデーター取得コンポーネントであって、前記着信製品情報が、各々１組の着信属性−値対を有する着信製品スキーマを備えており、各着信属性−値対が、着信属性名および対応する着信属性値を有し、前記着信製品情報が、レビューについての感想、レビューの格付け、レビュー有益指標、頻繁に訊かれる質問（ＦＡＱ）、製品に対応する形容詞、質問および回答、関連製品、ビデオ、または価格予測信号を含む、データー取得コンポーネントと、
前記着信製品情報に対して動作するように構成されている計算コンポーネントと、
を備えており、
前記計算コンポーネントが、
ソース−対−ソース属性対応を判定するように構成されているエンティティ関係コンポーネントであって、第１着信電子データー・ソースに対応する第１分類法および第１スキーマに含まれている第１着信属性名と、第２着信電子データー・ソースに対応する第２分類法および第２スキーマに含まれている第２着信属性名との間における対応を判定することを含み、前記第１および第２着信電子データー・ソースが、前記複数の着信電子データー・ソースから選択され、前記第１着信属性名と前記第２着信属性名は同じ名前ではない、エンティティ関係コンポーネントと、
前記着信製品情報に対して動作し、各製品クラスターが異なる製品に対応するように、前記着信属性名と、前記着信属性値と、前記ソース−対−ソース属性対応とに基づいて１組の製品クラスターを決定するように構成されているクラスター化コンポーネントと、
クラスター属性値と、前記カタログ・スキーマにおける既存のカタログ属性名、または前記カタログ・スキーマに対する新たなカタログ属性名の内の１つとの間において抽出された対応を判定するために、前記１組の製品クラスターに対して動作するように構成されている抽出コンポーネントと、
を備えており、
前記システムが、更に、
１つ以上の抽出された対応に基づいて、前記カタログ・スキーマに含まれている特定のカタログ属性名に対して１つの代表的カタログ属性値を決定するように構成されている融合コンポーネントと、
前記オンライン・カタログと関連があり、前記１つの代表的カタログ属性値を前記オンライン・カタログのエントリーに含ませるように構成されている、公開コンポーネントと、
を備えている、システム。
【請求項１２】
請求項１１記載のシステムであって、更に、
前記着信製品情報に対して動作し、前記着信製品情報に含まれている非カタログ・スキーマに含まれている第１特定属性名と、前記カタログ・スキーマに含まれている第１特定カタログ属性名との間における対応を判定するように構成されている正規化コンポーネントと、
前記着信製品情報に対して動作し、前記着信製品情報において表されている特定新製品または特定既存製品を、前記カタログ分類法における少なくとも１つのカテゴリーと関連付けるように構成されている類別コンポーネントと、
を備えており、
前記エンティティ関係コンポーネントが、更に、ソース−対−カタログ属性対応を判定するように構成されており、前記着信製品情報に含まれている第１非カタログ・スキーマの各特定属性名と、前記カタログ・スキーマに含まれている対応するカタログ属性名との間における対応を判定することを含み、
前記クラスター化コンポーネントが、更に、前記カタログ分類法のカテゴリーに基づいて、前記１組の製品クラスターを決定する、システム。
【請求項１３】
請求項１１記載のシステムにおいて、前記データー取得コンポーネントが、エンティティ・エキストラクターとフィード・インジェスターとを含む、システム。
【請求項１４】
請求項１３記載のシステムであって、更に、前記エンティティ・エキストラクターまたは前記フィード・インジェスターの少なくとも１つに対するアクセスを与える露出ＡＰＩ（アプリケーション・プログラム・インターフェース）を備えている、システム。
【請求項１５】
請求項１１記載のシステムであって、更に、前記データー取得コンポーネント、前記計算コンポーネント、または前記オンライン・カタログの内少なくとも１つに結合されている人間入力コンポーネントを備えており、この人間入力コンポーネントが、モデルまたは規則の内少なくとも１つを含む、システム。